(57)【要約】【課題】本発明は、モジュラー的に組立可能なランプホルダーを提供することを目的とする。【解決手段】本発明に係るランプホルダーは、少なくとも１つの第一取付面及び少なくとも１つの第二取付面を備えるモジュラー的に組立可能なランプホルダーであって、前記第一取付面には、前記第一取付面に接触する下面及び前記第一取付面から離れている上面を備えるガイドレールが設けられ、前記ガイドレールの上面の寸法がその下面の寸法より大きく、前記第二取付面には、前記第二取付面に接触する底部及び前記底部に対向する頂部開口を備えるガイド溝が設けられ、前記ガイド溝の底部の寸法がその頂部開口の寸法より大きく、前記ガイドレールの形状と前記ガイド溝の形状が同じである。【選択図】図１
2011103298.tif 000002
【特許請求の範囲】
【請求項１】
少なくとも１つの第一取付面及び少なくとも１つの第二取付面を備えるモジュラー的に組立可能なランプホルダーであって、
前記第一取付面には、前記第一取付面に接触する下面及び前記第一取付面から離れている上面を備えるガイドレールが設けられ、前記ガイドレールの上面の寸法がその下面の寸法より大きく、
前記第二取付面には、前記第二取付面に接触する底部及び前記底部に対向する頂部開口を備えるガイド溝が設けられ、前記ガイド溝の底部の寸法がその頂部開口の寸法より大きく、
前記ガイドレールの形状と前記ガイド溝の形状が同じであることを特徴とするランプホルダー。
【請求項２】
前記ランプホルダーは、互いに平行し且つ相対向する積載面及び背面を備える基板と、前記積載面に設置され且つ前記背面から遠ざかる方向に沿って延在される隔壁と、を備え、前記積載面は光源を積載するために用いられ、前記隔壁は別々に前記第一取付面及び前記第二取付面とする少なくとも２つの側壁を備えることを特徴とする請求項１に記載のランプホルダー。
【請求項３】
前記少なくとも２つの側壁は相対向することを特徴とする請求項２に記載のランプホルダー。
【請求項４】
前記少なくとも２つの側壁は隣り合うことを特徴とする請求項２に記載のランプホルダー。
【請求項５】
前記隔壁は別々に前記第一取付面及び前記第二取付面とする複数の側壁を備え、前記複数の側壁は端と端とが接続して環状になることを特徴とする請求項２に記載のランプホルダー。
【請求項６】
前記第二取付面には、前記第二取付面から遠ざかる方向に沿って突出されるプラットホームが設けられ、前記ガイド溝は前記プラットホームの内部に設けられることを特徴とする請求項２に記載のランプホルダー。
【発明の詳細な説明】
【技術分野】
【０００１】
本発明は、モジュラー的に組立可能なランプホルダーに関するものである。
【背景技術】
【０００２】
半導体発光素子を採用して製作された発光ダイオード（Ｌｉｇｈｔ  Ｅｍｉｔｔｉｎｇ  Ｄｉｏｄｅ，ＬＥＤ）は、高輝度、低作動電圧、低消費電力、集積回路にマッチングし易く、駆動が簡単であり、長寿命である等の利点を有することから、光源として照明分野に広く応用される。
【０００３】
環境が異なる場合、照明に対する要求が異なるので、各種の照明器具が必要とする発光ダイオードの数量によって寸法が異なる各種のランプホルダーを必要とする。
【発明の概要】
【発明が解決しようとする課題】
【０００４】
しかし、異なる照明要求によって異なる寸法を有する多種のランプホルダーを設計すると、生産周期を大幅に増加するばかりでなく、生産コストも高める。
【０００５】
本発明の目的は、前記課題を解決し、モジュラー的に組立可能なランプホルダーを提供することである。
【課題を解決するための手段】
【０００６】
本発明に係るランプホルダーは、少なくとも１つの第一取付面及び少なくとも１つの第二取付面を備えるモジュラー的に組立可能なランプホルダーであって、前記第一取付面には、前記第一取付面に接触する下面及び前記第一取付面から離れている上面を備えるガイドレールが設けられ、前記ガイドレールの上面の寸法がその下面の寸法より大きく、前記第二取付面には、前記第二取付面に接触する底部及び前記底部に対向する頂部開口を備えるガイド溝が設けられ、前記ガイド溝の底部の寸法がその頂部開口の寸法より大きく、前記ガイドレールの形状と前記ガイド溝の形状が同じである。
【発明の効果】
【０００７】
本発明のランプホルダーは、モジュラー的に組み立てることができ、１つのランプホルダーのガイドレールを他のランプホルダーのガイド溝に挿入するだけで、前記２つのランプホルダーの機械接続を形成することができ、従って具体的の照明需要によって複数のランプホルダーを便利に快速に組み立てるか取り外すことができる。
【図面の簡単な説明】
【０００８】
【図１】本発明の実施形態に係るモジュラー的に組立可能なランプホルダーの構造を示す図である。
【図２】図１に示すモジュラー的に組立可能なランプホルダーの別の視角からの図である。
【図３】本発明の実施形態に係るモジュラー的に組立可能なランプホルダーの組立図である。
【発明を実施するための形態】
【０００９】
以下、図面を参照して、本発明の実施形態について説明する。
【００１０】
図１及び図２に示されたように、本発明の実施形態に係るモジュラー的（ｍｏｄｕｌａｒｌｙ）に組立可能なランプホルダー１０は、基板１１及び該基板１１の上に設けられる隔壁１２を備える。
【００１１】
前記基板１１は、平板状であり、対向して設置される積載面１１０及び背面１１２を備える。前記積載面１１０は、光源（図示せず）を積載するために用いられ、前記ランプホルダー１０の内部に設置される光源は前記積載面１１０に固定される。本実施形態において、前記基板１１は、金属のような熱伝導材料からなるため、前記積載面１１０は前記光源からの熱を吸収することができ、且つ前記基板１１全体によって放熱する。
【００１２】
前記隔壁１２は、前記基板１１の積載面１１０に設置され、且つ前記背面１１２から遠ざかる方向に沿って延在される。本実施形態において、前記隔壁１２の延在方向は前記積載面１１０に直交し、前記隔壁１２は前記積載面１１０の周縁を囲んで環状になるため、前記隔壁１２及び前記基板１１によって前記光源を収容する収容空間１３を形成する。他の実施形態において、前記隔壁１２の延在方向は前記積載面１１０に直交しなくてもよく、前記隔壁１２は前記積載面１１０の周縁に設置しなくてもよく、且つ前記隔壁１２は環状ではなくてもよい。
【００１３】
本実施形態において、前記基板１１は略矩形の平板であるため、前記隔壁１２は、端と端とが接続し且つ２つずつ向かい合う４つの側壁１２０、１２２、１２４、１２６を備える。前記基板１１の四角は全て円弧であるため、前記隔壁１２の４つの側壁の４つの接続箇所は全て横断面が円弧である曲面である。これにより、前記基板１１及び前記隔壁１２の角が操作人員に対する傷害を免れる。
【００１４】
前記隔壁１２の側壁１２０には、前記積載面１１０及び前記背面１１２に平行する方向に沿って延在される縦長いガイドレール１２１が設けられる。前記ガイドレール１２１は、前記隔壁１２の側壁１２０に直交する方向に沿って前記ランプホルダー１０の外部に向って突出される。本実施形態において、前記ガイドレール１２１の前記積載面１１０に直交する断面の面積は、前記側壁１２０から遠ざかる方向に沿ってだんだん大きくなり、即ち前記ガイドレール１２１の前記側壁１２０から離れている上面の寸法は、前記ガイドレール１２１の前記側壁１２０に接続する下面の寸法より大きい。
【００１５】
前記隔壁１２の側壁１２４は、前記側壁１２０に向かい合う。前記側壁１２４には、前記積載面１１０及び前記背面１１２に平行する方向に沿って延在される縦長いプラットホームが設けられる。前記プラットホームは、前記隔壁１２の側壁１２４から遠ざかる方向に沿って前記ランプホルダー１０の外部に向って突出される。前記プラットホームの内部には、ガイド溝１２５が設けられる。前記ガイド溝１２５の形状は、前記ガイドレール１２１の形状に対応し、即ち前記ガイド溝１２５の頂部開口の寸法は、前記ガイドレール１２１の下面の寸法と等しい。前記ガイド溝１２５の片側には、開口１２５０が設けられ、前記ガイド溝１２５の他の片側は閉鎖されているため、前記ガイドレール１２１は、前記開口１２５０から前記ガイド溝１２５に挿入されてから、前記ガイド溝１２５の他の片側に当止される。
【００１６】
図３を参照すると、２つのランプホルダー１０を組み立てる場合、１つのランプホルダー１０のガイドレール１２１を他のランプホルダー１０のガイド溝１２５に挿入すると、前記ガイドレール１２１の上面の寸法はその下面の寸法より大きく、前記ガイド溝１２５の底部の寸法はその頂部開口の寸法より大きいため、前記ガイド溝１２５は前記ガイドレール１２１を固定保持して、前記２つのランプホルダー１０が離れないようにして、前記２つのランプホルダー１０は機械接続を形成する。前記ガイドレール１２１の上面の寸法がその下面の寸法より大きく、前記ガイド溝１２５の底部の寸法がその頂部開口の寸法より大きく、且つ前記ガイドレール１２１の形状と前記ガイド溝１２５の形状が同じであると、前記ガイドレール１２１及び前記ガイド溝１２５の形状は、具体的な需要又は実際の状況によって適当に変換することができる。
【００１７】
前記背面１１２における前記ランプホルダー１０の長手方向の両端に近い箇所には、前記背面１１２から遠ざかる方向に沿って延在される２つの固定アーム１１２０が設けられる。前記固定アーム１１２０の前記背面１１２から離れている端末には、前記ランプホルダー１０を他の素子に固定するために用いられる２つの貫通孔１１２２が開設される。前記貫通孔１１２２の内壁には、ねじ山が設けられることができる。前記背面１１２における前記２つの固定アーム１１２０の間には、前記背面１１２から遠ざかる方向に沿って延在される複数の熱伝導柱１１２４が設けられる。前記複数の熱伝導柱１１２４は、前記基板１１から伝達される熱を放熱するために用いられる。本実施形態において、前記熱伝導柱１１２４の寸法は、前記背面１１２か遠ざかる方向に沿ってだんだん小さくなる。
【００１８】
本実施形態において、前記ガイドレール１２１及び前記ガイド溝１２５は、それぞれ相対向する２つの側壁１２０、１２４に設けられるが、他の実施形態において、前記ガイドレール１２１及び前記ガイド溝１２５は、隣り合う２つの側壁に設けられることができる。
【００１９】
本発明に係るモジュラー的に組立可能な２つのランプホルダー１０を組み立てる場合、１つのランプホルダー１０のガイドレール１２１を他のランプホルダー１０のガイド溝１２５に挿入するだけで、前記２つのランプホルダー１０の機械接続を形成することができ、従って具体的の照明需要によって複数のランプホルダー１０を便利に快速に組み立てるか取り外すことができる。
【００２０】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００２１】
１０  ランプホルダー
１１  基板
１２  隔壁  
１３  収容空間
１１０  積載面
１１２  背面
１２０、１２２、１２４、１２６  側壁
１２１  ガイドレール
１２５  ガイド溝
１１２０  固定アーム
１１２２  貫通孔
１１２４  熱伝導柱
１２５０  開口
【図１】
2011103298.tif 000003
【図２】
2011103298.tif 000004
【図３】
2011103298.tif 000005